(57)【要約】【課題】低血糖に関する使用者の状態を報知できる状態提示装置、状態提示システム、状態提示方法及び状態提示プログラムを提供する。【解決手段】使用者の生体情報、体動情報、食事内容に関する食事情報、及び、投薬内容に関する投薬情報を取得する情報取得部３６５と、取得された生体情報、体動情報、食事情報及び投薬情報に基づいて、使用者の状態を表す指標値を算出する指標値算出部３６８と、算出された指標値に基づいて、低血糖に関する使用者の状態を報知する報知部と、を有する。【選択図】図８
2016167152.tif 000002
【特許請求の範囲】
【請求項１】
使用者の生体情報、体動情報、食事内容に関する食事情報、及び、投薬内容に関する投薬情報を取得する情報取得部と、
取得された前記生体情報、前記体動情報、前記食事情報及び前記投薬情報に基づいて、前記使用者の状態を表す指標値を算出する指標値算出部と、
算出された前記指標値に基づいて、低血糖に関する前記使用者の状態を報知する報知部と、を有することを特徴とする状態提示装置。
【請求項２】
請求項１に記載の状態提示装置において、
前記指標値算出部は、前記生体情報及び前記体動情報に基づく運動結果と、前記食事情報及び前記投薬情報とに基づいて、運動、食事及び投薬に分類される項目に応じた点数を算出することで前記指標値を算出することを特徴とする状態提示装置。
【請求項３】
請求項１に記載の状態提示装置において、
前記指標値算出部は、前記生体情報及び前記体動情報に基づく運動結果と、前記食事情報及び前記投薬情報とに基づいて、前記使用者の状態を表す指標値を算出することを特徴とする状態提示装置。
【請求項４】
請求項１から請求項３のいずれか一項に記載の状態提示装置において、
前記情報取得部から取得した前記生体情報、前記体動情報、前記食事情報及び前記投薬情報を記憶する記憶部を備えることを特徴とする状態提示装置。
【請求項５】
請求項１から請求項４のいずれか一項に記載の状態提示装置において、
前記指標値が所定の閾値を超えたか否かを判定する判定部を有し、
前記報知部は、前記判定部により前記指標値が前記閾値を超えたと判定されると、低血糖に関する前記使用者の状態を報知することを特徴とする状態提示装置。
【請求項６】
請求項１から請求項５のいずれか一項に記載の状態提示装置において、
前記指標値は、前記使用者に投与される薬の種類に応じた数値を前記点数の合計値に乗算して得られる値であることを特徴とする状態提示装置。
【請求項７】
請求項２に記載の状態提示装置において、
前記項目のうち、食事開始から運動開始までの経過時間に関する項目は、前記経過時間が長いほど前記点数の重み付けが重いことを特徴とする状態提示装置。
【請求項８】
請求項２に記載の状態提示装置において、
前記項目のうち、糖質量に関する項目は、前記使用者によって取得された糖質量が少ないほど前記点数の重み付けが重いことを特徴とする状態提示装置。
【請求項９】
請求項１から請求項８のいずれか一項に記載の状態提示装置において、
前記使用者に低血糖症状が発生した時刻である症状発生時刻を取得する症状発生時刻取得部と、
所定時間帯における時刻が時系列で並んだタイムテーブルの前記症状発生時刻に応じた位置に、前記低血糖症状が発生したタイミングを示す低血糖発生時マーカーが設定されたタイミング表示画面を生成する画面生成部を有し、
前記報知部は、表示部を有し、
前記表示部は、前記タイミング表示画面を表示し、前記タイミング表示画面の表示時に前記低血糖発生時マーカーが選択されると、前記合計点の内訳を表示することを特徴とする状態提示装置。
【請求項１０】
請求項９に記載の状態提示装置において、
前記使用者の運動、食事及び投薬の少なくともいずれかの行動が実行された時刻である行動実行時刻を取得する行動実行時刻取得部を有し、
前記タイミング表示画面は、前記タイムテーブルの前記行動実行時刻に応じた位置に設定され、前記行動が実行されたタイミングを示す行動実行時マーカーを含むことを特徴とする状態提示装置。
【請求項１１】
請求項１から請求項１０のいずれか一項に記載の状態提示装置と、
前記使用者に装着される検出装置と、を備え、
前記検出装置は、
前記使用者の生体情報を検出する生体情報検出部と、
前記使用者の体動情報を検出する体動情報検出部と、
それぞれ検出された前記生体情報及び前記体動情報を前記状態提示装置に送信する検出装置側送信部と、
前記状態提示装置から受信される状態情報に基づいて、前記使用者の低血糖に関する状態を報知する検出装置側報知部と、を有し、
前記状態提示装置は、前記指標値に基づく前記使用者の低血糖に関する状態を示す前記状態情報を、前記検出装置に送信する提示装置側送信部を有することを特徴とする状態提示システム。
【請求項１２】
状態提示装置により行われる状態提示方法であって、
使用者の生体情報、体動情報、食事内容に関する食事情報、及び、投薬内容に関する投薬情報を取得する情報取得ステップと、
取得された前記生体情報、前記体動情報、前記食事情報、及び、前記投薬情報に基づいて、前記使用者の状態を表す指標値を算出する指標値算出ステップと、
算出された前記指標値に基づいて、低血糖に関する前記使用者の状態を報知する報知ステップと、を有することを特徴とする状態提示装置の状態提示方法。
【請求項１３】
請求項１２に記載の状態提示方法において、
前記指標値算出ステップは、前記生体情報及び前記体動情報に基づく運動結果と、前記食事情報及び前記投薬情報とに基づいて、運動、食事及び投薬に分類される項目に応じた点数を算出することで前記指標値を算出することを特徴とする状態提示方法。
【請求項１４】
請求項１２に記載の状態提示方法において、
前記指標値算出ステップは、前記生体情報及び前記体動情報に基づく運動結果と、前記食事情報及び前記投薬情報とに基づいて、前記使用者の状態を表す指標値を算出することを特徴とする状態提示方法。
【請求項１５】
請求項１２から請求項１４のいずれか一項に記載の状態提示方法において、
前記情報取得ステップにより取得した前記生体情報、前記体動情報、前記食事情報及び前記投薬情報を記憶する記憶ステップを有することを特徴とする状態提示方法。
【請求項１６】
請求項１２から請求項１５のいずれか一項に記載の状態提示方法において、
前記指標値が所定の閾値を超えたか否かを判定する判定ステップを有し、
前記報知ステップは、前記判定ステップにより前記指標値が前記閾値を超えたと判定されると、低血糖に関する前記使用者の状態を報知することを特徴とする状態提示方法。
【請求項１７】
コンピューターにより実行される状態提示プログラムであって、
前記コンピューターを、
使用者の生体情報、体動情報、食事内容に関する食事情報、及び、投薬内容に関する投薬情報を取得する情報取得部と、
取得された前記生体情報、前記体動情報、前記食事情報及び前記投薬情報に基づいて、前記使用者の状態を表す指標値を算出する指標値算出部と、
算出された前記指標値に基づいて、低血糖に関する前記使用者の状態を報知する報知部と、を有する状態提示装置として機能させることを特徴とする状態提示プログラム。
【請求項１８】
請求項１７に記載の状態提示プログラムにおいて、
前記指標値算出部は、前記生体情報及び前記体動情報に基づく運動結果と、前記食事情報及び前記投薬情報とに基づいて、運動、食事及び投薬に分類される項目に応じた点数を算出することで前記指標値を算出することを特徴とする状態提示プログラム。
【請求項１９】
請求項１７に記載の状態提示プログラムにおいて、
前記指標値算出部は、前記生体情報及び前記体動情報に基づく運動結果と、前記食事情報及び前記投薬情報とに基づいて、前記使用者の状態を表す指標値を算出することを特徴とする状態提示プログラム。
【請求項２０】
請求項１７から請求項１９のいずれか一項に記載の状態提示プログラムにおいて、
前記コンピューターを、
前記情報取得部から取得した前記生体情報、前記体動情報、前記食事情報及び前記投薬情報を記憶する記憶部を備える前記状態提示装置として機能させることを特徴とする状態提示プログラム。
【請求項２１】
請求項１７から請求項２０のいずれか一項に記載の状態提示プログラムにおいて、
前記コンピューターを、
前記指標値が所定の閾値を超えたか否かを判定する判定部を有する前記状態提示装置として機能させ、
前記報知部は、前記判定部により前記指標値が前記閾値を超えたと判定されると、低血糖に関する前記使用者の状態を報知することを特徴とする状態提示プログラム。
【発明の詳細な説明】
【技術分野】
【０００１】
本発明は、状態提示装置、状態提示システム、状態提示方法及び状態提示プログラムに関する。
【背景技術】
【０００２】
従来、糖尿病患者の血糖値を測定する自己血糖測定ユニットが知られている（例えば、特許文献１参照）。
この特許文献１に記載の自己血糖測定ユニットは、採取された血液の血糖値を測定する検出手段と、この検出手段により測定された測定値をデジタル化し、記憶する記憶手段と、デジタル化された測定値を情報端末に転送する手段と、情報端末に転送されたデジタル化された測定値を血糖値管理装置に転送する手段と、を備えている。これにより、デジタル化された血糖値の測定値（測定データ）を容易に記録及び管理できる。
【先行技術文献】
【特許文献】
【０００３】
【特許文献１】特開２００３−３０２４０６号公報
【発明の概要】
【発明が解決しようとする課題】
【０００４】
ここで、糖尿病患者においては、血糖値の上昇を抑制するために、糖質量を抑制した食事を摂取したり、比較的強い運動を実施したりすることが多い他、血糖値の上昇を抑制する薬が投与されることが多いため、低血糖症状が発生する場合がある。この低血糖症状が発生した場合、意識障害や昏睡が発生する等、使用者が極めて危険な状態に陥る可能性がある。このため、糖尿病患者が、自身に低血糖症状が発生する可能性があることを把握することは、当該低血糖症状の発生を回避するために重要である。
しかしながら、特許文献１に記載の自己血糖測定ユニットでは、自身に低血糖症状が発生する可能性があるか否かを把握するためには、その都度、血糖値を測定して自己判断しなければならないという問題がある。
【０００５】
本発明は、上述の課題の少なくとも一部を解決することを目的としたものであり、低血糖に関する使用者の状態を報知できる状態提示装置、状態提示システム、状態提示方法及び状態提示プログラムを提供することを目的の１つとする。
【課題を解決するための手段】
【０００６】
本発明の第１態様に係る状態提示装置は、使用者の生体情報、体動情報、食事内容に関する食事情報、及び、投薬内容に関する投薬情報を取得する情報取得部と、取得された前記生体情報、前記体動情報、前記食事情報及び前記投薬情報に基づいて、前記使用者の状態を表す指標値を算出する指標値算出部と、算出された前記指標値に基づいて、低血糖に関する前記使用者の状態を報知する報知部と、を有することを特徴とする。
【０００７】
なお、使用者の低血糖に関する状態としては、使用者に低血糖症状が発生するおそれがあることを示す情報、及び、使用者に低血糖症状が発生した原因の分析結果情報等を例示できる。
上記第１態様によれば、使用者の運動結果、食事内容及び投薬内容に基づいて、低血糖に関する使用者の状態が報知される。これによれば、使用者は、低血糖症状が発生する可能性を認識できる。従って、使用者は低血糖症状を抑制する行動を取ることにより、低血糖症状が発生することを抑制できる。
【０００８】
上記第１態様では、前記指標値算出部は、前記生体情報及び前記体動情報に基づく運動結果と、前記食事情報及び前記投薬情報とに基づいて、運動、食事及び投薬に分類される項目に応じた点数を算出することで前記指標値を算出することが好ましい。
上記第１態様によれば、生体情報及び体動情報から使用者の運動結果を取得できる。これにより、運動、食事及び投薬のそれぞれの項目に応じた点数に基づいて指標値が算出されるので、より指標値を正確に算出することができる。また、各項目の点数を算出するだけで指標値を算出できるので、容易に上記指標値を算出できる。従って、使用者により信頼性の高い低血糖に関する情報を容易に提示できる。
【０００９】
上記第１態様では、前記指標値算出部は、前記生体情報及び前記体動情報に基づく運動結果と、前記食事情報及び前記投薬情報とに基づいて、前記使用者の状態を表す指標値を算出することが好ましい。
上記第１態様によれば、生体情報及び体動情報から使用者の運動結果を取得でき、当該運動結果を食事情報及び投薬情報を組み合わせて指標値が算出できる。これによれば、例えば、使用者の生体情報（脈波）が高く体動が少ない場合、及び、使用者の生体情報が低く体動が多い場合を運動に含めないようにできる。従って、生体情報、体動情報、食事情報及び投薬情報に基づいて指標値が算出される場合に比べて、より正確に上記指標値を算出できる。
【００１０】
上記第１態様では、前記情報取得部から取得した前記生体情報、前記体動情報、前記食事情報及び前記投薬情報を記憶する記憶部を備えることが好ましい。
上記第１態様によれば、生体情報、体動情報、食事情報及び投薬情報が記憶部に記憶されるので、当該記憶部に記憶された各種情報に基づいて、どのようなタイミングでも指標値を算出できる。
【００１１】
上記第１態様では、前記指標値が所定の閾値を超えたか否かを判定する判定部を有し、前記報知部は、前記判定部により前記指標値が前記閾値を超えたと判定されると、低血糖に関する前記使用者の状態を報知することが好ましい。
上記第１態様によれば、上記合計点が所定の閾値を超えたと判定された場合に、報知部から低血糖に関する使用者の状態が報知される。これによれば、使用者に低血糖症状が生ずるおそれがあることをより確実に認識させることができる。また、低血糖症状が発生する可能性が高まっている場合に上記使用者の状態が報知されるので、当該使用者の状態が常に報知される場合に比べ、使用者に注意を喚起できる。
【００１２】
上記第１態様では、前記指標値は、前記使用者に投与される薬の種類に応じた数値を前記点数の合計値に乗算して得られる値であることが好ましい。
なお、使用者が投与される薬の種類として、インスリン超速効型・速効型やスルホニル尿素剤（ＳＵ剤）が投与された場合、運動により血糖値が下降しやすくなるため、低血糖症状が発生する可能性が高まる。一方、インスリン時効型やＤＰＰ４阻害薬が投与された場合には、運動による血糖値の下降が比較的緩やかになる。すなわち投与される薬の種類によって、低血糖症状が発生する可能性は異なる。このように、インスリン超速効型・速効型やＳＵ剤は、血糖値を下げる効果が高いため、食事や運動等の他の行動より、低血糖症状の発生リスクへの影響が大きい。
これに対し、上記第１態様では、使用者に投与される薬の種類の重み付けが他の要素に比べて高い。このため、算出された指標値に基づいて、使用者に低血糖症状が発生する可能性をより適切に判定できる。
【００１３】
上記第１態様では、前記項目のうち、食事開始から運動開始までの経過時間に関する項目は、前記経過時間が長いほど前記点数の重み付けが重いことが好ましい。
ここで、血糖値の推移は、食事開始時から上昇する上昇期、上昇した血糖値が平衡状態となる平衡期、上昇した血糖値が下降する下降期を経る。例えば、使用者が上昇期において運動を開始したとしても、食事により血糖値が上昇しているので当該血糖値は下がりにくい。これに対して、使用者が平行期及び下降期に運動を開始した場合、血糖値が急激に低下する可能性が高く、低血糖症状を発生するリスクが高くなる。
このため、上記第１態様によれば、食事開始から運動開始までの経過時間に基づいて、使用者に低血糖症状が発生する可能性があるか否かを、より適切に判定できる。
【００１４】
上記第１態様では、前記項目のうち、糖質量に関する項目は、前記使用者によって取得された糖質量が少ないほど前記点数の重み付けが重いことが好ましい。
ここで、食事におけるタンパク質（Ｐ）、脂質（Ｆ）、炭水化物（Ｃ）のバランスにもよるが、一般的に炭水化物が多い食事の場合、糖質量が多い場合が多いため、血糖値は上昇しやすく、糖質量が低い食事を摂取すると、血糖値は上昇しにくい。換言すると、摂取された糖質量が少ない場合には、血糖値があまり上昇しないことから、使用者に低血糖症状が発生する可能性が比較的高いと判断される。
このため、上記第１態様によれば、食事において摂取された糖質量に基づいて、使用者に低血糖症状が発生する可能性があるか否かを、更に適切に判定できる。
【００１５】
上記第１態様では、前記使用者に低血糖症状が発生した時刻である症状発生時刻を取得する症状発生時刻取得部と、所定時間帯における時刻が時系列で並んだタイムテーブルの前記症状発生時刻に応じた位置に、前記低血糖症状が発生したタイミングを示す低血糖発生時マーカーが設定されたタイミング表示画面を生成する画面生成部を有し、前記報知部は、表示部を有し、前記表示部は、前記タイミング表示画面を表示し、前記タイミング表示画面の表示時に前記低血糖発生時マーカーが選択されると、前記合計点の内訳を表示することが好ましい。
上記第１態様によれば、低血糖発生時マーカーが選択された場合に低血糖に関する使用者の状態が報知されるので、使用者は、所望のタイミングで当該使用者の状態を認識できる。更に、当該使用者の状態を認識することで、低血糖症状が発生した原因を確実に認識できる
【００１６】
上記第１態様では、前記使用者の運動、食事及び投薬の少なくともいずれかの行動が実行された時刻である行動実行時刻を取得する行動実行時刻取得部を有し、前記タイミング表示画面は、前記タイムテーブルの前記行動実行時刻に応じた位置に設定され、前記行動が実行されたタイミングを示す行動実行時マーカーを含むことが好ましい。
上記第１態様によれば、所定時間帯における時刻が時系列で並んだタイムテーブルにおいて、低血糖発生時マーカー及び行動時マーカーが配置されたタイミング表示画面が表示されるので、低血糖症状が発生した時刻、食事の実行時刻、運動の実行時刻及び投薬の実行時刻を使用者により把握させやすくすることができる。これにより、食事、運動及び投薬のタイミングと低血糖が発生したタイミングとの関連性を確認しやすくすることができる。
【００１７】
本発明の第２態様に係る状態提示システムは、上述の状態提示装置と、前記使用者に装着される検出装置と、を備え、前記検出装置は、前記使用者の生体情報を検出する生体情報検出部と、前記使用者の体動情報を検出する体動情報検出部と、それぞれ検出された前記生体情報及び前記体動情報を前記状態提示装置に送信する検出装置側送信部と、前記状態提示装置から受信される状態情報に基づいて、前記使用者の低血糖に関する状態を報知する検出装置側報知部と、を有し、前記状態提示装置は、前記指標値に基づく前記使用者の低血糖に関する状態を示す前記状態情報を、前記検出装置に送信する提示装置側送信部を有することを特徴とする。
【００１８】
上記第２態様によれば、上記第１態様に係る状態提示装置と同様の効果を奏することができる。また、検出装置において使用者の低血糖に関する状態が報知されるので、使用者に当該使用者の低血糖に関する状態を確実に認識させることができる。
【００１９】
本発明の第３態様に係る状態提示装置の状態提示方法は、状態提示装置により行われる状態提示方法であって、使用者の生体情報、体動情報、食事内容に関する食事情報、及び、投薬内容に関する投薬情報を取得する情報取得ステップと、取得された前記生体情報、前記体動情報、前記食事情報、及び、前記投薬情報に基づいて、前記使用者の状態を表す指標値を算出する指標値算出ステップと、算出された前記指標値に基づいて、低血糖に関する前記使用者の状態を報知する報知ステップと、を有することを特徴とする。
上記第３態様によれば、第１態様に係る状態提示装置と同様の効果を奏することができる。
【００２０】
上記第３態様では、前記指標値算出ステップは、前記生体情報及び前記体動情報に基づく運動結果と、前記食事情報及び前記投薬情報とに基づいて、運動、食事及び投薬に分類される項目に応じた点数を算出することで前記指標値を算出することが好ましい。
上記第３態様によれば、第１態様に係る状態提示装置と同様の効果を奏することができる。
【００２１】
上記第３態様では、前記指標値算出ステップは、前記生体情報及び前記体動情報に基づく運動結果と、前記食事情報及び前記投薬情報とに基づいて、前記使用者の状態を表す指標値を算出することが好ましい。
上記第３態様によれば、第１態様に係る状態提示装置と同様の効果を奏することができる。
【００２２】
上記第３態様では、前記情報取得ステップにより取得した前記生体情報、前記体動情報、前記食事情報及び前記投薬情報を記憶する記憶ステップを有することが好ましい。
上記第３態様によれば、第１態様に係る状態提示装置と同様の効果を奏することができる。
【００２３】
上記第３態様では、前記指標値が所定の閾値を超えたか否かを判定する判定ステップを有し、前記報知ステップは、前記判定ステップにより前記指標値が前記閾値を超えたと判定されると、低血糖に関する前記使用者の状態を報知することが好ましい。
上記第３態様によれば、第１態様に係る状態提示装置と同様の効果を奏することができる。
【００２４】
本発明の第４態様に係る状態提示プログラムは、コンピューターにより実行される状態提示プログラムであって、前記コンピューターを、使用者の生体情報、体動情報、食事内容に関する食事情報、及び、投薬内容に関する投薬情報を取得する情報取得部と、取得された前記生体情報、前記体動情報、前記食事情報及び前記投薬情報に基づいて、前記使用者の状態を表す指標値を算出する指標値算出部と、算出された前記指標値に基づいて、低血糖に関する前記使用者の状態を報知する報知部と、を有する状態提示装置として機能させることを特徴とする。
上記第４態様によれば、第１態様に係る状態提示装置と同様の効果を奏することができる。
【００２５】
上記第４態様では、前記指標値算出部は、前記生体情報及び前記体動情報に基づく運動結果と、前記食事情報及び前記投薬情報とに基づいて、運動、食事及び投薬に分類される項目に応じた点数を算出することで前記指標値を算出することが好ましい。
上記第４態様によれば、第１態様に係る状態提示装置と同様の効果を奏することができる。
【００２６】
上記第４態様では、前記指標値算出部は、前記生体情報及び前記体動情報に基づく運動結果と、前記食事情報及び前記投薬情報とに基づいて、前記使用者の状態を表す指標値を算出することが好ましい。
上記第４態様によれば、第１態様に係る状態提示装置と同様の効果を奏することができる。
【００２７】
上記第４態様では、前記コンピューターを、前記情報取得部から取得した前記生体情報、前記体動情報、前記食事情報及び前記投薬情報を記憶する記憶部を備える前記状態提示装置として機能させることが好ましい。
上記第４態様によれば、第１態様に係る状態提示装置と同様の効果を奏することができる。
【００２８】
上記第４態様では、前記コンピューターを、前記指標値が所定の閾値を超えたか否かを判定する判定部を有する前記状態提示装置として機能させ、前記報知部は、前記判定部により前記指標値が前記閾値を超えたと判定されると、低血糖に関する前記使用者の状態を報知することが好ましい。
上記第４態様によれば、第１態様に係る状態提示装置と同様の効果を奏することができる。
【図面の簡単な説明】
【００２９】
【図１】本発明の一実施形態に係る状態提示システムを示す模式図。
【図２】上記実施形態における生体情報検出装置の構成を示すブロック図。
【図３】上記実施形態における生体情報検出装置の制御部の構成を示すブロック図。
【図４】上記実施形態における情報処理装置の構成を示すブロック図。
【図５】上記実施形態における情報処理装置の記憶部に記憶される初期設定情報を示す図。
【図６】上記実施形態における情報処理装置の記憶部に記憶される計算情報を示す図。
【図７】上記実施形態における糖尿病の進行度に応じた血糖値変化の一例を示す図。
【図８】上記実施形態における情報処理装置の制御部の構成を示すブロック図。
【図９】上記実施形態における食事内容登録画面の一例を示す図。
【図１０】上記実施形態における投薬内容登録画面の一例を示す図。
【図１１】上記実施形態における運動結果提示画面の一例を示す図。
【図１２】上記実施形態におけるタイミング表示画面の一例を示す図。
【図１３】上記実施形態における総括画面の一例を示す図。
【図１４】上記実施形態における分析結果画面の一例を示す図。
【図１５】上記実施形態における生体情報検出装置の表示部に表示される警告表示画面の一例を示す図。
【発明を実施するための形態】
【００３０】
以下、本発明の一実施形態を、図面に基づいて説明する。
［状態提示システムの概略構成］
図１は、本実施形態に係る状態提示システム１を示す模式図である。
本実施形態に係る状態提示システム１は、図１に示すように、生体情報検出装置（以下、検出装置という場合がある）２と、情報処理装置３と、を備える。
この状態提示システム１では、検出装置２は、生体情報及び体動情報を測定する他、所定の操作が実行されると、低血糖症状が発生したタイミングである低血糖発生日時として現在日時を記憶する。そして、検出装置２は、測定された生体情報及び体動情報の他、上記低血糖発生日時を示す日時情報を情報処理装置３に送信する。更に、検出装置２は、後述する使用者の低血糖症状に関する状態情報（警告情報）に基づいて、警告情報を報知する。
【００３１】
情報処理装置３は、本発明の情報提示装置に相当し、検出装置２から受信される生体情報及び体動情報に基づく使用者の運動内容、並びに、使用者により入力された食事内容及び投薬内容に基づいて、運動、食事及び投薬に分類される項目に応じた点数をそれぞれ算出する。そして、情報処理装置３は、当該点数に基づく指標値が所定の閾値を超えている場合に、使用者に低血糖症状が発生する可能性が高いことを示す警告情報を送信するとともに、当該警告情報を含む画面を表示する。更に、情報処理装置３は、使用者の操作に応じて、当該指標値の内訳を表示する。
以下、状態提示システム１の各構成について説明する。
【００３２】
［検出装置の構成］
図２は、生体情報検出装置２の構成を示すブロック図である。
生体情報検出装置２は、本発明の検出装置に相当し、使用者に装着されて、上記生体情報及び体動情報を検出して記憶するウェアラブル機器である。この検出装置２は、タップ操作を含む所定の操作が実行された際に、現在日時を低血糖症状が発生したタイミングを示す低血糖発生日時として記憶する他、それぞれ記憶した生体情報、体動情報、及び、上記低血糖発生日時を示す日時情報を情報処理装置３に送信する。
このような検出装置２は、図２に示すように、操作部２１、検出部２２、受信部２３、報知部２４、通信部２５、記憶部２６及び制御部２７を有し、これら各部２１〜２７は、バスライン２８によって電気的に接続されている。
【００３３】
［操作部の構成］
操作部２１は、使用者による入力操作を受け付け、当該入力操作に応じた操作信号を制御部２７に出力する。このような操作部２１は、検出装置２の筐体の外面に露出するように設けられたボタン２１１，２１２（図１参照）の入力操作に応じた操作信号を制御部２７に出力する。なお、使用者の音声（使用者の声）を認識して、当該音声に応じた操作信号を制御部２７に出力する構成でもよい。
そして、詳しくは後述するが、使用者は、自身が低血糖状態にあると判断した場合に、操作部２１を操作して（上記所定の操作を実行して）、上記低血糖発生日時を記憶部２６に記憶させる。
なお、操作部２１がタップ操作検出部を有していてもよく、この場合には、当該タップ操作検出部が有する加速度センサーによって検出される加速度信号に基づいてタップ操作が検出され、当該タップ操作に応じた操作信号を制御部２７に出力する構成としてもよい。
【００３４】
［検出部の構成］
検出部２２は、使用者の生体情報及び体動情報をそれぞれ検出する生体情報検出部２２１、及び、体動情報検出部２２２を有する。
生体情報検出部２２１は、検出装置２を装着した使用者の生体情報を検出する。本実施形態では、生体情報検出部２２１は、各種センサーにより、生体情報としての脈波を検出する。なお、生体情報検出部２２１は、生体情報として心拍、血圧、体温、血糖値及び血中アルコール濃度等を検出する構成としてもよい。
体動情報検出部２２２は、上記操作部２１とともに本発明の入力部を構成するものであり、使用者の体動情報として、当該使用者の体動に応じて変化する加速度を検出する。また、体動情報検出部２２２は、上記加速度の変化に基づいて使用者のタップ操作を検出する。
【００３５】
［受信部の構成］
受信部２３は、検出装置２の現在位置を示す位置情報（すなわち、使用者の現在位置を示す位置情報）を取得する。例えば、受信部２３は、ＧＰＳ（Global Positioning System）等の衛星測位システムに対応し、衛星から受信される電波に基づいて上記現在位置を示す位置情報を取得する。そして、受信部２３は、取得された位置情報を、制御部２７に出力する。なお、このような構成に代えて、通信用無線電波を用いて位置情報を算出する構成とすることも可能である。なお、このような受信部２３はなくてもよい。
【００３６】
［報知部の構成］
報知部２４は、本発明の検出装置側報知部に相当し、制御部２７による制御の下、各種情報を報知する。例えば、報知部２４は、検出装置２の動作状態や、検出された情報及び情報処理装置３から受信した警告情報を報知する。
このような報知部２４は、表示部２４１、音声出力部２４２、及び振動部２４３を有する。
表示部２４１は、液晶等の情報表示機能を有し、上記各種情報を表示する。このような表示部２４１は、後述する制御部２７の制御の下、例えば、それぞれ後述する複数のメニュー画面及び発生タイミング記録画面等の複数の設定画面を表示する。更に、表示部２４１は、警告情報として、低血糖症状が発生する可能性が高い旨のメッセージ画面（図１５参照）を表示する。
音声出力部２４２は、スピーカーを備えて構成され、制御部２７から入力される音声情報に応じた音声を出力する。例えば、音声出力部２４２は、使用者に低血糖症状が発生する可能性が高い場合に、警告情報として警告音を出力する。
振動部２４３は、後述する制御部２７により駆動が制御されるモーターを有し、当該モーターの駆動によって生じる振動により、当該生体情報検出装置２の状態を通知する。例えば、振動部２４３は、使用者に低血糖症状が発生する可能性が高い場合に、振動する。
【００３７】
［通信部の構成］
通信部２５は、本発明の検出装置側送信部に相当し、ネットワークを介して上記情報処理装置３等の外部機器と通信可能な通信モジュールを有する。この通信部２５は、例えば、制御部２７の制御の下、検出部２２により検出されて記憶部２６に記憶された生体情報及び体動情報を送信する他、上記低血糖発生日時を示す日時情報を送信する。また、通信部２５は、情報処理装置３から送信される警告情報を取得する。なお、本実施形態では、通信部２５は、ネットワークと接続される基地局や接続機器（例えばルーター）と無線で通信し、これにより、情報処理装置３と通信接続されるが、情報処理装置３と通信可能であれば、接続形式及び接続態様は問わない。
【００３８】
［記憶部の構成］
記憶部２６は、フラッシュメモリー等を有する記憶装置により構成され、検出装置２の動作に必要なプログラム及びデータを記憶している。
例えば、記憶部２６は、当該データとして、通信部２５を介して情報処理装置３と通信接続するための接続情報を予め記憶している。
また、記憶部２６は、上記所定の操作が実行された際に、低血糖症状が発生したタイミングとして現在時刻を記憶するタイミング記録プログラムを記憶している。
更に、記憶部２６は、制御部２７による制御の下、検出部２２により検出された生体情報及び体動情報と、受信部２３により取得された位置情報と、を記憶する他、上記低血糖発生日時を示す日時情報を記憶する。更に、記憶部２６は、情報処理装置３から通信部２５を介して取得した警告情報を記憶する。
【００３９】
［制御部の構成］
図３は、制御部２７の構成を示すブロック図である。
制御部２７は、ＣＰＵ（Central Processing Unit）等の処理回路により構成され、検出装置２の動作を自律的に、或いは、使用者の操作に応じて操作部２１から入力される操作信号に基づいて制御する。この制御部２７は、例えば、検出部２２により検出された生体情報及び体動情報を取得し、情報処理装置３に送信する。この他、制御部２７は、使用者の所定の入力操作に応じて入力される操作信号に応じて、上記低血糖発生日時として現在時刻を記録する。
このような制御部２７は、記憶部２６に記憶されたプログラムを上記処理回路が実行することにより実現される機能部として、図３に示すように、検出制御部２７１、報知制御部２７２、通信制御部２７３、計時部２７４、情報取得部２７５、運動判定部２７６、操作判定部２７７及び記憶制御部２７８を有する。
【００４０】
検出制御部２７１は、検出部２２の動作を制御し、当該検出部２２による検出結果を記憶部２６に記憶させる。この検出制御部２７１は、検出装置２が使用者に装着されて、検出部２２による生体情報及び体動情報の検出が可能な状態であれば、当該検出部２２に各情報を検出させ、検出部２２による各情報の検出を実行できない状態であれば、当該検出部２２の動作を停止させる。このため、使用者に装着されていない場合には、上記検出部２２による検出処理が実行されないので、消費電力を抑制できる。
【００４１】
報知制御部２７２は、報知部２４の動作を制御する。例えば、報知制御部２７２は、報知部２４の表示部２４１の動作を制御して、検出部２２により検出された生体情報及び体動情報を表示させる。
また、報知制御部２７２は、後述する操作判定部２７７によりタップ操作が行われたと判定されるとメニュー画面のうち、発生タイミング記録画面に遷移する「低血糖」が表記されたメニュー画面を最初に表示させ、更に、上記ボタン２１１，２１２のうち、ボタン２１２が入力されたと判定されると、当該ボタン２１２の入力毎に、「ゾーン」が表記されたメニュー画面及び「セットアップ」が表記されたメニュー画面を順に表示させる。
更に、報知制御部２７２は、情報処理装置３から警告情報を受信すると、報知部２４の動作を制御する。例えば、報知制御部２７２は、音声出力部２４２の動作を制御して、当該音声出力部２４２から警告音を出力させる。加えて、報知制御部２７２は、振動部２４３の動作を制御して、当該振動部２４３を振動させる。これにより、使用者は、自身に低血糖症状が発生する可能性が高いことを認識できる。
なお、報知制御部２７２は、表示部２４１の動作を制御して、当該表示部２４１に警告情報として現在実行している運動の強度を低下させる、当該運動を停止させる、或いは、糖質を摂取すべき旨のメッセージを表示するようにしてもよい。
【００４２】
通信制御部２７３は、通信部２５を制御し、記憶部２６に記憶された上記接続情報に基づいて、上記情報処理装置３と通信させる。
計時部２７４は、現在日時を計時する。
【００４３】
情報取得部２７５は、検出部２２により検出された生体情報及び体動情報、並びに、受信部２３により取得された位置情報を取得し、これらを記憶部２６に記憶させる。この際、情報取得部２７５は、計時部２７４により計時されている現在日時を参照して、生体情報、体動情報及び位置情報とともに、これら情報の検出日時及び取得日時を記憶させる。
運動判定部２７６は、情報取得部２７５により取得された使用者の生体情報及び体動情報を解析して、実施された使用者の運動の種別（運動の強度）を判定する。
【００４４】
ここで、使用者の運動の種別とは、予め被験者に対して運動用などで目標とする脈拍数の範囲（例えば、８０回／分〜１４０回／分）が複数のゾーンに区分（例えば、２０回／分ごとに区分）されたゾーン毎の脈拍数に対応して、予め設定されたものである。例えば、本実施形態では、運動判定部２７６は、脈拍数の範囲が８０回／分以上〜１００回／分未満の運動は、「弱い運動」として判定され、脈拍数の範囲が１００回／分以上〜１２０回／分未満の運動は、「適正ゾーンの運動」として判定され、脈拍数の範囲が１２０回／分以上１４０回／分未満の運動は、「強い運動」として判定される。このようにして、運動判定部２７６は、使用者が運動を実施した際に、いずれの種別の運動を実施したのかを判定し、運動の種別毎の一日の運動時間（運動の開始時刻及び終了時刻）を算出する。
なお、本実施形態では、運動判定部２７６は、脈拍数に基づいて運動の種別（運動の強度）を判定することとした。しかしながら、本発明は、これに限らない。例えば、カルボーネン法に基づく運動強度を示す％ＨＲＲ（Heart Rate Reserved）に基づいて運動の種別を判定することとしてもよい。
【００４５】
操作判定部２７７は、使用者により実行された入力操作の種別を判定する。具体的に、操作判定部２７７は、使用者により検出装置２に対してタップ操作が実行されたか否か、及び、操作部２１のボタン２１１，２１２の入力操作が実行されたか否かを判定する。
例えば、操作判定部２７７は、体動情報検出部２２２により検出された加速度信号に、タップ操作に応じた加速度変化が含まれるか否かに基づいて、当該タップ操作が実行されたか否かを判定する。換言すると、操作判定部２７７は、体動情報検出部２２２からタップ操作が実行されたことを示す信号（加速度信号）が入力されたか否かを判定する。
また、操作判定部２７７は、操作部２１のボタン２１１，２１２の入力操作（押下）に応じて操作部２１から入力される操作信号に基づいて、ボタン２１１，２１２の入力操作が実行されたか否かを判定し、当該操作信号に含まれるボタンの種別に基づいて、ボタン２１１，２１２のどちらかが入力されたのかを判定する。
【００４６】
記憶制御部２７８は、使用者による所定の操作（例えば、本体部に対するタップ操作及びボタン２１１，２１２の入力操作）に応じて、低血糖症状が生じたタイミングである低血糖発生日時として、計時部２７４によって計時されている現在日時を記録する。また、記憶制御部２７８は、生体情報検出部２２１及び体動情報検出部２２２により検出された生体情報及び体動情報を記憶部２６に記憶させる。
【００４７】
［情報処理装置の構成］
図４は、情報処理装置３の構成を示すブロック図である。
情報処理装置３は、本発明の状態提示装置に相当し、例えばスマートフォン（多機能携帯電話機）、タブレット及びＰＣ（Personal Computer）等により構成される。この情報処理装置３は、上記のように、検出装置２から受信される生体情報及び体動情報に基づく使用者の運動内容、並びに、使用者により入力された食事内容及び投薬内容に基づいて、運動、食事及び投薬に分類される項目に応じた点数をそれぞれ算出する。そして、情報処理装置３は、当該点数に基づく指標値が所定の閾値を超えている場合に、使用者に低血糖症状が発生する可能性が高いことを示す警告情報を送信するとともに、当該警告情報を含む画面を表示する。更に、情報処理装置３は、使用者の操作に応じて、当該指標値の内訳を表示する。加えて、情報処理装置３は、各種登録画面を表示する他、後述するタイミング表示画面及びカレンダー表示画面（総括画面）を表示して、低血糖が生じた日付を示す。
このような情報処理装置３は、図４に示すように、操作部３１、通信部３２、表示部３３、音声出力部３４、記憶部３５、及び制御部３６を備え、これらは互いにバスライン３７により接続されている。
【００４８】
［操作部の構成］
操作部３１は、使用者による入力操作を受け付け、当該入力操作に応じた操作情報を制御部３６に出力する。このような操作部３１は、例えば、情報処理装置３の筐体に設けられた物理キーやタッチパネル等により構成できる他、当該情報処理装置３に有線又は無線で接続されるキーボード及びポインティングデバイス等により構成できる。
【００４９】
［通信部の構成］
通信部３２は、提示装置側送信部に相当し、検出装置２等の外部機器と通信可能な第１通信モジュールと、インターネット等のネットワーク上のサーバー（図示省略）と通信可能な第２通信モジュールとを有し、制御部３６による制御の下、当該外部機器及びサーバーと通信する。なお、当該外部機器及びサーバーのそれぞれと通信部３２とが同じ通信方式で通信可能である場合には、通信部３２は、第１通信モジュール及び第２通信モジュールのうち一方を備えていればよく、サーバーとの通信が不要であれば、第２通信モジュールはなくてもよい。
【００５０】
［表示部及び音声出力部の構成］
表示部３３は、本発明の表示部に相当する。この表示部３３は、例えば、液晶、有機ＥＬ（Electro-Luminescence）及び電気泳動等の各種表示パネルにより構成でき、後述する提示情報生成部３７０により生成された画像を表示する。具体的に、表示部３３は、制御部３６により実行されるＯＳ（Operating System）及び各種アプリケーションの実行画面（例えば、後述する実行画面ＥＳ）を表示する。
音声出力部３４は、スピーカーを備えて構成され、制御部３６から入力される音声情報に応じた音声を出力する。例えば、音声出力部３４は、制御部３６が後述する情報管理アプリケーションを実行する場合には、使用者に提示する情報に応じた音声を出力する。
【００５１】
［記憶部の構成］
記憶部３５は、ＳＳＤ（Solid State Drive）、ＨＤＤ（Hard Disk Drive）及びフラッシュメモリー等の記憶装置により構成され、情報処理装置３の動作に必要なプログラム及びデータを記憶する。このようなプログラムとして、記憶部３５は、情報処理装置３を制御するＯＳの他、後述する情報管理アプリケーションを記憶している。
また、記憶部３５は、検出装置２から受信される各種情報及び後述する各登録画面に対する入力内容の他、後述する指標値算出部３６８により用いられる初期設定情報及び計算情報を記憶する。
【００５２】
［初期設定情報］
図５は、記憶部３５が記憶する初期設定情報の一例を示す図である。
上記記憶部３５は、以下に示す初期設定情報を記憶する。この初期設定情報は、例えば、情報管理アプリケーションの最初の実行時に、操作部３１に対する使用者の入力操作によって入力（選択）される情報であり、使用者の身体状況（糖尿病の程度）に関する情報である。
このような初期設定情報には、例えば、図５に示すように、「インスリン分泌能」及び「投薬」が含まれる。なお、本実施形態では、「インスリン分泌能」及び「投薬」を初期設定情報とした。しかしながら、本発明は、これに限らない。例えば、「インスリン分泌能」及び「投薬」に加えて「年齢」、「性別」、「体重」、「身長」、「ＢＭＩ（ボディマス指数：Body Mass Index）」、「血糖値コントロール指標」、「インスリン抵抗性」、「体型」及び「糖尿病の種類」等の少なくとも１つを含むようにしてもよい。
【００５３】
これらのうち、「インスリン分泌能」は、インスリン分泌能の指標である「血中Ｃペプチド」の値であり、当該血中Ｃペプチドの値によって、使用者のタイプが３つに分類される。具体的には、血中Ｃペプチドの値が０．５ｎｇ／ｍｌ未満の使用者は、インスリンの分泌が非常に少ないので、重度の糖尿病患者（タイプａ）に分類される。また、血中Ｃペプチドの値が０．５ｎｇ／ｍｌ以上１．０ｎｇ／ｍｌ未満の使用者は、インスリンの分泌が健常者より少ないので、軽度の糖尿病患者（タイプｂ）に分類される。更に、血中Ｃペプチドの値が１．０ｎｇ／ｍｌ以上の使用者は、インスリンの分泌が健常者に近い糖尿病予備軍（タイプｃ）に分類される。
【００５４】
また、「投薬」は、使用者に投与される薬の種類であり、当該投与される薬の種類によって、後述する指標値を算出するための数値（調整値）がそれぞれ設定される。具体的には、使用者に注射等により投与される薬がインスリン超速効型及びインスリン速効型である場合、調整値は「２」に設定される。また、投与される薬がインスリン中間型及びインスリン混合型である場合、調整値は「１．５」に設定される。更に、投与される薬がインスリン時効型である場合、調整値は「１」に設定される。
これと同様に、使用者が服用する（使用者に投与される）薬がＳＵ剤である場合、調整値は「２」に設定される。また、使用者が服用する薬がＤＰＰ４阻害薬である場合、調整値は「１」に設定される。
【００５５】
すなわち、上記インスリン超速効型・速効型やＳＵ剤が投与された場合や、当該インスリン超速効型・速効型やＳＵ剤の投与後に運動を行った場合には、急激に血糖値が下降するため、低血糖症状が発生する可能性が高まる。一方、インスリン時効型やＤＰＰ４阻害薬が投与された後に運動を行っても血糖値は比較的緩やかに下降する。このため、投与される薬の種類によって、低血糖症状が発生する可能性は異なる。また、このような薬は、血糖値を下げる効果が高いため、食事や運動等の他の行動より、低血糖症状の発生リスクへの影響が大きい。従って、本実施形態では、投与される薬の種類ごとに調整値を設定し、後述する各項目の合計点数に当該調整値を乗ずることにより上記指標値を算出している。
なお、注射等により投与される薬の調整値と服用する薬の調整値とが異なる場合、調整値のうち、高い数値を優先して適用する。例えば、使用者が注射等により投与する薬として「インスリン超速効型」を使用し、服用する薬として「ＤＰＰ４阻害薬」を使用している場合、上記調整値は「２」となる。
【００５６】
［計算情報］
図６は、記憶部３５が記憶する計算情報の一例を示す図である。
上記記憶部３５は、以下に示す計算情報を記憶する。
計算情報は、後述する制御部３６による使用者が低血糖を生じやすい状態にあるか否かの判断の指標となる指標値を算出するための情報である。計算情報は、例えば、図６に示すように、３つの項目ごとに、指標値を算出するための点数（低血糖危険指数）が予め設定される。具体的には、ユーザーの日常生活に含まれる「食事」、「投薬」、「運動」の３つの項目が設定され、これら各項目のそれぞれには、複数の要素ごとに上記点数（低血糖危険指数）が設定されている。
【００５７】
まず、「食事」の項目には、「糖質量」、「食事からの運動開始時間（空腹度）」、「飲酒量（アルコール量）」及び「飲酒からの運動開始時間」の４つの要素が設定されている。
第１パラメーターである「糖質量」は、後述する食事登録画面（図９参照）にて入力及び登録された食事内容から取得される。この「糖質量」は、使用者が食事の際に摂取した糖質量であり、当該摂取した糖質量によって、上記指標値を算出するための低血糖危険指数がそれぞれ設定される。具体的には、食事の際に摂取した糖質量が５０ｇ未満である場合、上記点数は「１０」に設定され、当該糖質量が５０ｇ以上１００ｇ未満である場合、上記点数は「５」に設定され、当該糖質量が１００ｇ以上である場合、上記点数は「０」に設定される。すなわち、使用者が食事の際に摂取した糖質量が少なければ少ないほど、使用者に低血糖症状が発生する可能性が高いため、食事の際に摂取した糖質量が少ないほど上記点数の重み付けが重く設定される。
【００５８】
第２パラメーターである「食事からの運動開始時間（運動開始時刻）」は、後述する食事登録画面（図９参照）にて入力及び登録された食事時刻と、検出装置２から送信された生体情報及び体動情報から算出された運動結果とから取得される。この「食事からの運動開始時刻」は、上記初期設定情報により設定された使用者のタイプごとに上記点数が設定される。まず、使用者のタイプがタイプａである場合、食事からの運動開始時間が４時間以上である場合、上記点数は「４０」に設定され、食事からの運動開始時間が２時間以上４時間未満である場合、上記点数は「２０」に設定され、食事からの運動開始時間が２時間未満である場合、上記点数は「０」に設定される。
また、使用者のタイプがタイプｂである場合、食事からの運動開始時間が２時間以上である場合、上記点数は「４０」に設定され、食事からの運動開始時間が１時間以上２時間未満である場合、上記点数は「２０」に設定され、食事からの運動開始時間が１時間未満である場合、上記点数は「０」に設定される。
更に、使用者のタイプがタイプｃである場合、食事からの運動開始時間が１時間以上である場合、上記点数は「４０」に設定され、食事からの運動開始時間が０．５時間以上１時間未満である場合、上記点数は「２０」に設定され、食事からの運動開始時間が０．５時間未満である場合、上記点数は「０」に設定される。
【００５９】
図７は、糖尿病の進行度に応じた血糖値変化の一例を示す図である。
ここで、一般的に血糖値は、食事開始時から上昇して最大血糖値に達し、変動しない状態がしばらく継続した後に下降する。このような血糖値変化は、図７に示すように、糖尿病の進行度によって異なる。すなわち、糖尿病の進行度によって、食後に血糖値が上昇する上昇期、血糖値に変化がほぼない平衡期、及び、血糖値が下降する下降期の時間が異なる。
例えば、使用者がインスリンの分泌が非常に少ない重度の糖尿病患者（タイプａ）の場合、図７において一点鎖線で示すように、上昇期は略２時間であり、平衡期は略２時間であり、下降期は略２時間である。また、インスリンの分泌が健常者より少ない軽度の糖尿病患者（タイプｂ）の場合、図７において点線で示すように、上昇期は略１．５時間であり、平衡期は略１時間であり、下降期は略１．５時間である。更に、使用者がインスリンの分泌が健常者に近い糖尿病予備群（タイプｃ）の場合、図７において実線で示すように、上昇期は略１時間であり、平衡期は略０．５時間であり、下降期は略１時間である。
【００６０】
すなわち、重度の糖尿病患者に分類されるタイプａでは、上昇期及び平衡期はそれぞれおよそ２時間継続することから、食事開始時からおよそ４時間後に下降期に達する。また、中度の糖尿病患者に分類されるタイプｂでは、上昇期及び平衡期はそれぞれおよそ１時間継続することから、食事開始時からおよそ２時間後に下降期に達する。更に、軽度の糖尿病患者に分類されるタイプｃでは、上昇期及び平衡期はそれぞれおよそ０．５時間継続することから、食事開始時からおよそ１時間後に下降期に達する。そして、下降期にて運動が実施されると、血糖値は急激に低下する。
このため、本実施形態では、第２パラメーターである「食事からの運動開始時間（運動開始時刻）」は、タイプａ〜ｃにおいて、下降期に運動が開始された場合の低血糖危険指数に比較的高い点数「４０点」が設定され、平衡期に運動が開始された場合の低血糖危険指数に中程度の点数「２０点」が設定され、上昇期に運動が開始された場合の低血糖危険指数に低い点数「０点」が設定されている。
なお、本実施形態では、タイプａ〜ｃのそれぞれで同じ点数が割り当てられているが、これに限らず、タイプに応じて点数を割り当ててもよい。例えば、タイプａではより高い点数を割り当て、タイプｃではより低い点数を割り当ててもよい。
【００６１】
図６に戻って、第３パラメーターである「飲酒量」は、後述する食事登録画面（図９参照）にて入力及び登録された食事内容から取得される。この「飲酒量」は、使用者が食事の際に摂取したアルコール量であり、当該摂取したアルコール量によって、低血糖危険指数を算出するための点数がそれぞれ設定される。具体的には、食事の際に摂取したアルコール量が４０ｇ以上である場合、上記点数は「１０」に設定され、当該アルコールが２０ｇ以上４０ｇ未満である場合、上記点数は「５」に設定され、当該アルコール量が２０ｇ未満である場合、上記点数は「０」に設定される。すなわち、使用者が食事の際に摂取したアルコール量が多ければ多いほど、使用者に低血糖症状が生じる可能性が低いため、食事の際に摂取したアルコール量が多いほど上記点数の重み付けが重く設定される。
【００６２】
第４パラメーターである「飲酒からの運動開始時間（運動開始時刻）」は、後述する食事登録画面（図９参照）にて入力及び登録された食事時刻と、検出装置２から送信された生体情報及び体動情報から算出された運動結果とから取得される。この「飲酒からの運動開始時間」が２時間未満である場合、上記点数は「１０」に設定され、「飲酒からの運動開始時間」が２時間以上５時間未満である場合、上記点数は「５」に設定され、「飲酒からの運動開始時間」が５時間以上である場合、上記点数は「０」に設定される。すなわち、使用者がアルコールを摂取してから運動を開始するまでの時間が長ければ長いほど、使用者に低血糖症状が生じる可能性が低いため、飲酒からの運動開始時間が短いほど上記点数の重み付けが重く設定される。
【００６３】
また、「投薬」の項目には、図６に示すように、「投薬量」及び「投薬からの運動開始時間」の２つの要素が設定されている。
第５パラメーターである「投薬量」は、後述する投薬登録画面（図１０参照）にて入力及び登録された投薬内容から取得される。この「投薬量」は、使用者が服用した薬の量であり、当該投薬量の判断は、薬の種類及び処方により適宜設定され、当該服用した投薬量によって、低血糖危険指数を算出するための点数がそれぞれ設定される。具体的には、投薬量が多い場合、上記点数は「１０」に設定され、当該投薬量が通常である場合、上記点数は「５」に設定され、当該投薬量が少ない場合、上記点数は「０」に設定される。すなわち、使用者が服用した投薬量が多ければ多いほど、使用者に低血糖症状が生じる可能性が低いため、服用した投薬量が多いほど上記点数の重み付けが重く設定される。
【００６４】
第６パラメーターである「投薬からの運動開始時間（運動開始時刻）」は、後述する投薬登録画面（図１０参照）にて入力及び登録された投薬時刻と、検出装置２から送信された生体情報及び体動情報から算出された運動結果とから取得される。この「投薬からの運動開始時間」は、投薬（薬の服用）からの運動開始時間が０．５時間未満である場合、上記点数は「１０」に設定され、投薬からの運動開始時間が０．５時間以上２時間未満である場合、上記点数は「５」に設定され、投薬からの運動開始時間が２時間以上５時間未満である場合、上記点数は「０」に設定される。すなわち、使用者が薬を摂取してから運動を開始するまでの時間が長ければ長いほど、使用者に低血糖症状が生じる可能性が低いため、投薬からの運動開始時間が短いほど上記点数の重み付けが重く設定される。
【００６５】
更に、「運動」の項目には、図６に示すように「運動強度」及び「運動継続時間」の２つの要素が設定されている。
第７パラメーターである「運動強度」は、検出装置２から送信された生体情報及び体動情報から算出された運動結果から取得される。この「運動強度」は、使用者の脈拍数（最大脈拍数及び安静時脈拍数）に基づいて算出される数値（カルボーネン法に基づく運動強度）であり、当該運動強度の判断は、％ＨＲＲの数値の範囲ごとに、低血糖危険指数を算出するための点数がそれぞれ設定される。具体的には、運動強度が５０％ＨＲＲ以上である場合、上記点数は「２０」に設定され、当該運動強度が３０％ＨＲＲ以上５０％ＨＲＲ未満である場合、上記点数は「１０」に設定され、当該運動強度が３０％ＨＲＲ未満である場合、上記点数は「０」に設定される。すなわち、使用者の運動強度が高ければ高いほど、使用者に低血糖症状が生じる可能性が高いため、運動強度が高いほど上記点数の重み付けが重く設定される。
【００６６】
第８パラメーターである「運動継続時間」は、検出装置２から送信された生体情報及び体動情報から算出された運動結果から取得される。この「運動継続時間」は、使用者が運動を継続している時間であり、当該運動継続時間が６０分以上である場合、上記点数は「２０」に設定され、当該運動継続時間が１５分以上６０分未満である場合、上記点数は「１０」に設定され、当該運動継続時間が１５分未満である場合、上記点数は「０」に設定される。すなわち、使用者の運動継続時間が長ければ長いほど使用者に低血糖症状が生じる可能性が高いため、運動継続時間が長いほど上記点数の重み付けが重く設定される。
これら記憶部３５に記憶された初期設定情報及び計算情報は、後述する指標値算出部３６８により用いられる。
なお、各項目の上記第１〜第８パラメーターに割り振られた低血糖危険指数はあくまで一例であり、使用者の状態に合わせて適宜変更してもよい。
【００６７】
［制御部の構成］
図８は、制御部３６の構成を示すブロック図である。
制御部３６は、ＣＰＵ（Central Processing Unit）を備えて構成され、記憶部３５に記憶されたプログラムを実行することにより、情報処理装置３の動作を制御する。このような制御部３６は、ＯＳ実行部３６Ａ及びアプリケーション実行部３６Ｂと、を有する。
【００６８】
ＯＳ実行部３６Ａは、記憶部３５に記憶されたＯＳを実行する機能部であり、通信制御部３６１、表示制御部３６２、音声出力制御部３６３及び計時部３６４を有する。
通信制御部３６１は、通信部３２を制御して、上記外部機器やサーバーと通信する。
表示制御部３６２は、上記実行画面や、他のアプリケーション及びＯＳの実行画面（他の構成により生成された実行画面）を表示部３３に表示させる。
音声出力制御部３６３は、ＯＳやアプリケーションの実行時に出力させる音声の音声情報を上記音声出力部３４に出力する。
計時部３６４は、現在日時を計時する。
【００６９】
アプリケーション実行部３６Ｂは、記憶部３５に記憶されたアプリケーションのうち、操作部３１から入力される操作情報に応じてＯＳ実行部３６Ａにより指示されたアプリケーションを実行する。
このアプリケーション実行部３６Ｂは、記憶部３５に記憶された情報管理アプリケーションを実行することによってそれぞれ機能する情報取得部３６５、情報登録部３６６、解析部３６７、指標値算出部３６８、判定部３６９及び提示情報生成部３７０を有する。
【００７０】
情報取得部３６５は、本発明の症状発生時刻取得部及び行動実行時刻取得部に相当し、後述する情報管理アプリケーションの実行画面（食事内容及び投薬内容の登録画面）にて使用者により入力された情報を取得する。この他、情報取得部３６５は、通信部３２を介して上記検出装置２から各種情報（生体情報、体動情報、位置情報及び日時情報）を取得する。
情報登録部３６６は、情報取得部３６５により取得された情報を記憶部３５に記憶及び登録させる。
【００７１】
解析部３６７は、検出装置２から受信した生体情報、体動情報、位置情報及び日時情報を解析し、使用者の消費カロリー、歩数、運動時間（開始時刻及び終了時刻の推定）等の解析結果を生成する。また、解析部３６７は、上記生体情報、体動情報及び位置情報に基づいて、使用者の入眠時刻及び起床時刻を判定する他、使用者の睡眠時間等の解析結果を生成する。
【００７２】
指標値算出部３６８は、解析部３６７により分析された使用者の運動結果と、食事内容及び投薬内容とに基づいて、「運動」、「食事」及び「投薬」に分類される項目に応じた点数（低血糖危険指数）をそれぞれ算出し、当該算出された点数の合計点に使用者の薬の種類ごとに設定された調整値を乗算して得られる点数、すなわち、指標値を算出する。
具体的には、指標値算出部３６８は、記憶部３５に記憶された計算情報に基づいて、上記第１パラメータ〜第８パラメーターごとの点数（低血糖危険指数）を加算した合計点（例えば、８０点）を算出する。そして、指標値算出部３６８は、算出された合計点に対して、調整値（例えば、使用者がインスリン速効ＳＵ剤を投与していれば「２」）を乗算して、指標値（１６０点）を演算する。
【００７３】
判定部３６９は、指標値算出部３６８により算出された指標値が所定の閾値（例えば、１００点）を超えたか否かを判定する。
この判定部３６９の判定処理にて、指標値が所定の閾値を超えたと判定されると、アプリケーション実行部３６Ｂは、ＯＳ実行部３６Ａの通信制御部３６１に上記警告情報を通信部３２を介して検出装置２に送信させる。
【００７４】
提示情報生成部３７０は、本発明の画面生成部に相当し、情報管理アプリケーションの実行画面を生成する。例えば、提示情報生成部３７０は、使用者が低血糖症状を発生した要因を分析した分析結果画面を生成する。また、提示情報生成部３７０は、解析部３６７による解析結果に基づいて、実行画面である運動結果提示画面を生成する。更に、提示情報生成部３７０は、実行画面である食事記録及び投薬記録の登録画面を生成する。これら各種画面は、表示制御部３６２の制御により、表示部３３に表示される。加えて、提示情報生成部３７０は、タイミング表示画面を表示して、運動、食事及び投薬のタイミングや、低血糖が生じたタイミングをマーカーで示す他、後述するカレンダー表示画面（総括画面）を表示して、低血糖が生じた日付を示す。
以下に、提示情報生成部３７０により生成される内容は、後に詳述する。
【００７５】
［実行画面の構成］
ここで、上記表示制御部３６２は、アプリケーション実行部３６Ｂによる情報管理アプリケーションの実行時に、当該アプリケーション実行部３６Ｂの処理結果に基づいて、以下に示す実行画面ＥＳ（ＥＳ１〜ＥＳ６）を表示部３３に表示させる。
以下、各実行画面ＥＳの構成及び動作について説明する。
【００７６】
［食事内容登録画面］
図９は、食事内容登録画面ＥＳ１の一例を示す図である。
食事内容登録画面ＥＳ１は、上記実行画面ＥＳに含まれる画面であり、使用者が選択した日付（デフォルトでは当日）にて摂取した食事の内容を登録及び表示する画面である。この食事内容登録画面ＥＳ１には、図９に示すように、画面上部及び画面下部にそれぞれ固定表示領域Ｆ１，Ｆ２が設定され、これらの間に可変表示領域Ｖ１が設定されている。
【００７７】
画面上部の固定表示領域Ｆ１の上段には、計時部３６４により計時されている現在時刻が設定される時刻表示領域Ｆ１１が配置されている。また、固定表示領域Ｆ１の下段における左側には、押下（入力）されるとメニュー画面（図示省略）に遷移するボタンＦ１２が配置され、右側には、押下されるとヘルプ画面（図示省略）に遷移するボタンＦ１３が配置されている。これらボタンＦ１２，Ｆ１３に挟まれた領域には、画面の内容を示すタイトルＦ１４が配置されている。
画面下部の固定表示領域Ｆ２の左右には、ボタンＦ２１，Ｆ２２が配置されている。これらボタンＦ２１，Ｆ２２は、画面を遷移するためのボタンである。
【００７８】
可変表示領域Ｖ１には、総摂取カロリー表示欄Ｖ１１と、タンパク質（Ｐ）、脂質（Ｆ）、炭水化物（Ｃ）の摂取割合を示す摂取割合表示欄Ｖ１２と、食事内容が表示される表示欄Ｖ１３と、食事の履歴が表示される表示欄Ｖ１４と、かんたん入力ボタンＶ１５、戻るボタンＶ１６と、が配置されている。
【００７９】
これらのうち、総摂取カロリー表示欄Ｖ１１には、当日の食事の総摂取カロリー数が円グラフの中心に設定される。また、摂取割合表示欄Ｖ１２には、当日の食事のうち、タンパク質（Ｐ）、脂質（Ｆ）、炭水化物（Ｃ）の摂取割合が棒グラフ形式で設定される。
更に、表示欄Ｖ１３には、当日のタンパク質（Ｐ）、脂質（Ｆ）、炭水化物（Ｃ）、糖質及び塩分のそれぞれの摂取量（ｇ）が設定される。
加えて、表示欄Ｖ１４には、当日の食事の履歴が設定される。このような食事の履歴としては、食事の開始時刻と、当該食事の摂取カロリー及び糖質量とが含まれる。
【００８０】
また、かんたん入力ボタンＶ１５が押下されると、図示を省略するが、食事の開始時刻、種別及び食事量（食事量の主観的な情報や、相対的な情報）を登録する画面が表示される。そして、当該画面にて、使用者が食事の種別（「食事」、「飲酒」及び「間食」等）を選択し、これらの食事の種別の量を設定する。これにより、食事におけるタンパク質、脂質、炭水化物、糖質及び塩分のそれぞれの摂取量と、食事の総カロリーと、が簡易的に算出される。なお、食事内容の分析は、外部のデータベース（外部機器に保持されたデータベース）を照会することにより行われてもよく、外部のサーバー（外部機器）を経由して実行されてもよい。
なお、戻るボタンＶ１６が入力されると、食事内容登録画面ＥＳ１が表示される前に表示されていた画面に遷移される。
【００８１】
［投薬内容登録画面］
図１０は、投薬内容登録画面ＥＳ２の一例を示す図である。
投薬内容登録画面ＥＳ２は、上記実行画面ＥＳに含まれる画面であり、使用者に投薬内容を入力させる画面である。この投薬内容登録画面ＥＳ２は、図１０に示すように上記固定表示領域Ｆ１，Ｆ２と、可変表示領域Ｖ２が設定されている。
【００８２】
可変表示領域Ｖ２には、投薬内容を登録させる画面であることを示すイメージ画像Ｖ２１と、予め担当医により定められた薬の投薬予定を示す服薬予定欄Ｖ２２と、インスリンの投薬時刻を入力する入力欄Ｖ２３と、インスリンが投薬された時間が表示される表示欄Ｖ２４と、ＯＫボタンＶ２５と、キャンセルボタンＶ２６と、が設けられている。
服薬予定欄Ｖ２２には、「とき」、「くすり」、及び、「量」の各項目が設定され、例えば、朝及び晩に「くすりＡ」を１錠及び「くすりＢ」を２ｍｇ服薬する旨の予定と、昼に「くすりＢ」を２ｍｇ服薬する旨の予定と、が設定されている。また、「とき」の項目には、当該予定に従って、「くすりＡ」及び「くすりＢ」を服薬した場合に使用者がチェックするチェック欄Ｖ２２１，Ｖ２２２，Ｖ２２３がそれぞれ朝、昼及び晩の項目ごとに設定されている。このチェック欄Ｖ２２１，Ｖ２２２，Ｖ２２３を使用者がタッチすると、例えば、チェック欄Ｖ２２１に示すように当該チェック欄Ｖ２２１の色が変化する。これにより、使用者は、当該チェック欄Ｖ２２１，Ｖ２２２，Ｖ２２３を認識することで、予定通りに服薬したか否かが容易に理解できる。
【００８３】
また、入力欄Ｖ２３には、インスリンを投薬した時刻、投薬量（単位）及び種類（例えば持続性か即効性かの種別）をそれぞれ選択可能な選択欄と、記録ボタンＶ２３１とが設定される。なお、投薬時刻を選択する選択欄には、現在時刻がデフォルト表示される。このような入力欄Ｖ２３のそれぞれの選択欄に使用者によって投薬内容が入力された状態にて、記録ボタンＶ２３１が押下されると、当該投薬内容が、表示欄Ｖ２４に追加される。
表示欄Ｖ２４は、当日のインスリンの投薬内容が表示されるテーブルである。この表示欄Ｖ２４には、上記入力欄Ｖ２３にて既に登録されたインスリンの投薬時刻及び投薬量（単位）が、それぞれの行に設定される。この他、入力欄Ｖ２３の各行には、設定された投薬内容を削除するためのボタンが設定されている。
更に、ＯＫボタンＶ２５を押下されると、チェック欄Ｖ２２１，Ｖ２２２，Ｖ２２３の選択状態（すなわち服薬内容）、及び、表示欄Ｖ２４に表示された投薬内容が確定し、上記情報取得部３６５が、これらの情報を記憶部３５に記憶させる。一方、キャンセルボタンＶ２６が押下されると、変更された服薬内容及び投薬内容がキャンセルされる。
【００８４】
［運動結果提示画面］
図１１は、運動結果提示画面ＥＳ３の一例を示す図である。
運動結果提示画面ＥＳ３は、上記実行画面ＥＳに含まれる画面であり、検出装置２から取得した生体情報及び体動情報に基づく運動の解析結果を提示するとともに、所定期間（本実施形態では、使用者により選択された日付）における運動及び食事のタイミングを提示する画面である。この運動結果提示画面ＥＳ３には、図１１に示すように、上記固定表示領域Ｆ１，Ｆ２と、当該固定表示領域Ｆ１，Ｆ２間に配置される可変表示領域Ｖ３と、が設定されている。
【００８５】
可変表示領域Ｖ３には、それぞれ選択された日付の情報を示す総運動時間表示領域Ｖ３１、歩数表示領域Ｖ３２、消費カロリー表示領域Ｖ３３、詳細運動時間表示領域Ｖ３４、タイミング表示領域Ｖ３５及び戻るボタンＶ３６が設定されている。
総運動時間表示領域Ｖ３１、歩数表示領域Ｖ３２及び消費カロリー表示領域Ｖ３３には、それぞれ、選択された日付の総運動時間、歩数及び消費カロリーが設定される。これらのうち、総運動時間表示領域Ｖ３１には、当該日付の総運動時間が円グラフの中心に設定され、当該円グラフには、当該総運動時間のうち「強い運動」、「適性ゾーンの運動」及び「軽い運動」のそれぞれの種別に分類される運動時間が設定される。
詳細運動時間表示領域Ｖ３４には、当該日付の上記種別ごとの運動時間が設定される。
【００８６】
タイミング表示領域Ｖ３５には、当該日付の運動期間、食事期間及び睡眠期間が、上記所定期間における時刻に応じて示されたタイムテーブルが設定される。なお、当該日付を示す上記日時情報が取得されている場合には、運動、食事、投薬のタイミング（行動実行時刻）を示すマーク（行動実行時マーカー）、及び、低血糖症状が発生したタイミング（症状発生時刻）を示すマーク（低血糖発生時マーカー）が、タイムテーブルにおいて当該日時情報に応じた時刻に設定される。
一方、戻るボタンＶ３６が押下されると、運動結果提示画面ＥＳ３の直前に表示されていた画面に戻る。
【００８７】
［タイミング表示画面］
図１２は、タイミング表示画面ＥＳ４の一例を示す図である。
タイミング表示画面ＥＳ４は、上記実行画面ＥＳに含まれる画面である。このタイミング表示画面ＥＳ４は、上記運動結果提示画面ＥＳ３と同様に、使用者により選択された日付の運動の解析結果を提示するとともに、運動、食事、投薬及び睡眠の期間と、低血糖症状が発生したタイミングとを提示する画面である。このタイミング表示画面ＥＳ４には、図１２に示すように、上記固定表示領域Ｆ１，Ｆ２と、当該固定表示領域Ｆ１，Ｆ２間に配置される可変表示領域Ｖ４と、が設定されている。
【００８８】
可変表示領域Ｖ４には、総運動時間表示領域Ｖ４１、歩数表示領域Ｖ４２、詳細運動時間表示領域Ｖ４３、タイミング表示領域Ｖ４４及び戻るボタンＶ４５が設定されている。
これらのうち、総運動時間表示領域Ｖ４１、歩数表示領域Ｖ４２及び詳細運動時間表示領域Ｖ４３には、上記運動結果提示画面ＥＳ３の総運動時間表示領域Ｖ３１、歩数表示領域Ｖ３２及び詳細運動時間表示領域Ｖ３４と同様の内容が表示される。
【００８９】
タイミング表示領域Ｖ４４には、上記タイミング表示領域Ｖ３５と同様に、０時から２４時までのタイムテーブルが設定されている。このタイムテーブルには、使用者により選択された日付の運動期間、食事期間及び睡眠期間が、当該タイムテーブルに設定された時刻に応じて設定される。この他、当該タイムテーブルには、運動、食事、投薬のタイミングを示すマーク（行動実行時マーカー）と、当該日付を示す上記日時情報が取得されている場合には、低血糖症状が発生したタイミングを示すマーク（低血糖発生時マーカー）とが、それぞれ対応する時刻に設定される。このようなタイミング表示領域Ｖ４４を確認することにより、低血糖症状が発生したタイミングより前の使用者の行動を容易に把握できる。
一方、戻るボタンＶ４５が押下されると、タイミング表示画面ＥＳ４の直前に表示されていた画面に戻る。
【００９０】
［総括画面］
図１３は、画面ＥＳ５の一例を示す図である。
総括画面ＥＳ５は、上記実行画面ＥＳに含まれる画面であり、当該総括画面ＥＳ５には、使用者が選択した「月」のカレンダーと、当該カレンダーにおいて低血糖症状が発生した日を示すマークとが設定される画面である。この総括画面ＥＳ５には、図１３に示すように、上記固定表示領域Ｆ１，Ｆ２と、当該固定表示領域Ｆ１，Ｆ２間に配置される可変表示領域Ｖ５と、が設定されている。なお、総括画面ＥＳ５における固定表示領域Ｆ１には、画面の内容を示すタイトルＦ１４の位置には、当該タイトルＦ１４に代えて、後述するメニュー表示領域Ｖ５２に設けられた各メニューに対応した画面の内容を示すタイトルが表示される。
【００９１】
可変表示領域Ｖ５には、ボタンＶ５１と、メニュー表示領域Ｖ５２と、表示領域ＣＳと、が設定されている。
ボタンＶ５１は、検出装置２と通信して、当該検出装置２から各種情報を取得するためのボタンである。
メニュー表示領域Ｖ５２には、表示領域ＣＳの表示内容を切り替えるための複数のボタンＶ５２１〜Ｖ５２６と、ログアウトボタンＶ５２７とが、設定されている。ボタンＶ５２１が入力されると、表示領域ＣＳの表示内容が、後述するカレンダーＣＬに切り替えられる。ボタンＶ５２２が入力されると、表示領域ＣＳの表示内容が、担当医からのメッセージを表示する画面に切り替えられる。ボタンＶ５２３が入力されると、表示領域ＣＳの表示内容が、使用者の目標及び計画を確認及び修正するための画面に切り替えられる。ボタンＶ５２４が入力されると、表示領域ＣＳの表示内容が、サーバーから取得される使用者の健康診断の結果を確認するための画面に切り替えられる。ボタンＶ５２５が入力されると、表示領域ＣＳの表示内容が、サーバーから取得される糖尿病情報サイトの画面に切り替えられる。ボタンＶ５２６が入力されると、表示領域ＣＳの表示内容が、各種設定処理を実行するための設定画面に切り替えられる。そして、ログアウトボタンＶ５２７が入力されると、総括画面ＥＳ５が終了される。
【００９２】
表示領域ＣＳに、図１３に示すカレンダーＣＬが設定された場合、総括画面ＥＳ５は、本発明のカレンダー表示画面となる。このカレンダーＣＬは、使用者によって選択された「月」に属する「日」が「週」毎に並んだカレンダーであり、表示領域ＣＳにおけるカレンダーＣＬの上側左方には、入力されると前の月のカレンダーＣＬに遷移するボタンＣＳ１が配置され、上側右方には、入力されると次の月のカレンダーＣＬに遷移するボタンＣＳ２が配置されている。また、これらボタンＣＳ１，ＣＳ２に挟まれた領域には、カレンダーＣＬの「月」を示す月表示領域ＣＳ３が配置されている。
カレンダーＣＬにおいて、現在日時に応じた日付を表す日付領域（例えば、７日）には、他の日付領域と区別するための表示ＣＬ１（例えば色）が設定されている。また、これら日付領域のうち、上記日時情報により示される日付領域、すなわち、低血糖症状が発生した日（例えば、３日及び６日）に応じた日付領域には、低血糖症状が生じたことを示す低血糖発生日マーカーＣＬ２が設定される。
このようなカレンダーＣＬを確認することにより、低血糖症状が発生した日を容易に認識できる。
一方、ログアウトボタンＶ５２７が押下されると、総括画面ＥＳ５の直前に表示されていた画面に戻る。
【００９３】
［分析結果画面］
図１４は、画面ＥＳ６の一例を示す図である。
分析結果画面ＥＳ６は、上記実行画面ＥＳに含まれる画面であり、使用者が低血糖症状を生じた要因の分析結果が設定される画面である。この分析結果画面ＥＳ６は、上記運動結果提示画面ＥＳ３及びタイミング表示画面ＥＳ４に表示される低血糖発生時マーカー、若しくは、上記総括画面ＥＳ５のカレンダーＣＬの低血糖発生日マーカーＣＬ２が選択された際に、表示部３３に表示される。
このような分析結果画面ＥＳ６には、図１４に示すように、上記固定表示領域Ｆ１，Ｆ２と、当該固定表示領域Ｆ１，Ｆ２間に配置される可変表示領域Ｖ６と、が設定されている。
【００９４】
可変表示領域Ｖ６には、グラフ表示領域Ｖ６１と、コメント表示領域Ｖ６２が設定されている。
グラフ表示領域Ｖ６１には、指標値算出部３６８により算出された上記指標値の内訳を示すグラフが表示される。このグラフは、上記「運動」、「食事」及び「投薬」のそれぞれの項目ごとの上記指標値の比率に応じて分割されている。
ここで、低血糖危険ゾーンについて説明する。低血糖危険ゾーンは、上記所定の閾値である１００点を指標値が超えるゾーンであり、当該低血糖危険ゾーンを当該指標値が超えた場合、使用者に低血糖症状が発生する可能性が高い。このため、当該低血糖危険ゾーン内にあるのか否かを容易に示すため、グラフ表示領域Ｖ６１には、低血糖危険ゾーンを示す破線Ｖ６１１が設定されている。
これにより、使用者が当該グラフ表示領域Ｖ６１を視認するだけで、いずれの項目の上記点数が高いのか、すなわち、低血糖症状を発生する要因として「運動」、「食事」及び「投薬」の項目のうち、いずれの項目がどの程度影響しているのかを認識できる。また、グラフ表示領域Ｖ６１に表示されたグラフが上記破線Ｖ６１１をどれくらい超えているのかを視認するだけで、低血糖症状が発生する危険性の程度を認識できる。
【００９５】
また、コメント表示領域Ｖ６２には、指標値算出部３６８により算出された上記指標値及び「運動」、「食事」及び「投薬」のそれぞれの項目ごとの上記指標値の比率に基づいて、生成されたコメントが表示される。このコメントは、提示情報生成部３７０により当該コメント表示領域Ｖ６２に表示され、例えば、上記「運動」、「食事」及び「投薬」のそれぞれの項目ごとの上記指標値の比率ごとに、対応する複数のコメントが記憶部３５に記憶されている。
これにより、使用者は、当該コメント表示領域Ｖ６２を視認することにより、低血糖症状が生じた原因を認識できる。
【００９６】
［検出装置における警告処理］
図１５は、検出装置２の表示部２４１に表示される警告表示画面ＳＣ１の一例を示す図である。
検出装置２は、情報処理装置３から警告情報を受信すると、図１５に示すように、表示部２４１に警告情報を表示させる。具体的には、表示部２４１には、警告表示画面ＳＣ１が設定され、当該警告表示画面ＳＣ１には、「警告」の文字と、「低血糖症状が発生するおそれがあります。」の文字が表示される。また、検出装置２の音声出力部２４２は、警告音を出力し、かつ、振動部２４３が振動する。
これにより、使用者は、自らに低血糖症状が発生するおそれがあることを容易に認識できる。なお、上記警告情報とともに、低血糖症状に対する寄与率の最も高い要因となる項目（運動、食事、薬など）報知するように構成してもよい。
【００９７】
［実施形態の効果］
以上説明した実施形態に係る状態提示システム１によれば、以下の効果がある。
本実施形態に係る状態提示システム１によれば、使用者の生体情報、体動情報、食事内容及び投薬内容に基づいて低血糖に関する使用者の状態（使用者に低血糖症状が発生するおそれがあることを示す警告情報、及び、使用者に低血糖症状が発生した原因の分析結果情報）が報知される。これによれば、使用者は、低血糖症状が発生する可能性を認識できる。従って、使用者は低血糖症状を抑制する行動を取ることにより、低血糖症状が発生することを抑制できる。
【００９８】
本実施形態によれば、生体情報及び体動情報から使用者の運動結果を取得できる。これにより、運動、食事及び投薬のそれぞれの項目に応じた点数（低血糖危険指数）の合計点に基づいて、指標値が算出されるので、より指標値を正確に算出することができる。また、各項目の点数を算出し、調整値を乗算するだけで指標値を算出できるので、容易に上記指標値を算出できる。従って、使用者に信頼性の高い低血糖に関する情報を容易に提示できる。
【００９９】
本実施形態によれば、生体情報及び体動情報から使用者の運動結果を取得でき、当該運動結果を食事情報及び投薬情報を組み合わせて指標値が算出できる。これによれば、使用者の脈波が高く体動が少ない場合、及び、使用者の生体情報が低く体動が多い場合を運動に含めないようにできる。従って、生体情報、体動情報、食事情報及び投薬情報に基づいて指標値が算出される場合に比べて、より正確に上記指標値を算出できる。
【０１００】
本実施形態によれば、生体情報、体動情報、食事情報及び投薬情報が記憶部３５に記憶されるので、当該記憶部３５に記憶された各種情報に基づいて、どのようなタイミングでも指標値を算出できる。  
【０１０１】
本実施形態によれば、上記指標値が所定の閾値（例えば、１００点）を超えたと判定された場合に、表示部３３に低血糖に関する使用者の状態が表示される。これによれば、使用者に低血糖症状が生ずるおそれがあることをより確実に認識させることができる。また、低血糖症状が発生する可能性が高まっている場合に上記使用者の状態が報知されるので、当該使用者の状態が常に報知される場合に比べ、使用者に注意を喚起できる。
【０１０２】
ここで、使用者が投与される薬の種類として、インスリン超速効型・速効型やスルホニル尿素剤（ＳＵ剤）が投与された場合、運動により血糖値が下降しやすくなるため、低血糖症状が発生する可能性が高まる。一方、インスリン時効型やＤＰＰ４阻害薬が投与された場合には、運動による血糖値の下降が比較的緩やかになる。すなわち、投与される薬の種類によって、低血糖症状が発生する可能性は異なる。このように、インスリン超速効型・速効型やＳＵ剤は、血糖値を下げる効果が高いため、食事や運動等の他の行動より、低血糖症状の発生リスクへの影響が大きい。
これに対し、本実施形態では、使用者に投与される薬の種類の重み付けが他の要素に比べて高い。このため、算出された指標値に基づいて、使用者に低血糖症状が発生する可能性をより適切に判定できる。
【０１０３】
ここで、血糖値の推移は、食事開始時から上昇する上昇期、上昇した血糖値が平衡状態となる平衡期、上昇した血糖値が下降する下降期を経る。例えば、使用者が上昇期において運動を開始したとしても、食事により血糖値が上昇しているので当該血糖値は下がりにくい。これに対して、使用者が平行期及び下降期に運動を開始した場合、血糖値が急激に低下する可能性が高く、低血糖症状を発生するリスクが高くなる。
このため、本実施形態によれば、食事開始から運動開始までの経過時間に基づいて、使用者に低血糖症状が発生する可能性があるか否かを、より適切に判定できる。
【０１０４】
ここで、食事におけるタンパク質（Ｐ）、脂質（Ｆ）、炭水化物（Ｃ）のバランスにもよるが、一般的に炭水化物が多い食事の場合、糖質量が多い場合が多いため、血糖値は上昇しやすく、糖質量が低い食事を摂取すると、血糖値は上昇しにくい。換言すると、摂取された糖質量が少ない場合には、血糖値があまり上昇しないことから、使用者に低血糖症状が発生する可能性が比較的高いと判断される。
このため、本実施形態によれば、食事において摂取された糖質量に基づいて、使用者に低血糖症状が発生する可能性があるか否かを、更に適切に判定できる。
【０１０５】
本実施形態によれば、低血糖発生時マーカーが選択された場合に低血糖に関する使用者の状態が報知されるので、使用者は、所望のタイミングで当該使用者の状態を認識できる。更に、当該使用者の状態を認識することで、低血糖症状が発生した原因を確実に認識できる
【０１０６】
本実施形態によれば、所定時間帯における時刻が時系列で並んだタイムテーブルにおいて、低血糖発生時マーカー及び行動時マーカーが配置されたタイミング表示画面ＥＳ４が表示されるので、低血糖症状が発生した時刻、食事の実行時刻、運動の実行時刻及び投薬の実行時刻を使用者により把握させやすくすることができる。これにより、食事、運動及び投薬のタイミングと低血糖が発生したタイミングとの関連性を確認しやすくすることができる。
【０１０７】
本実施形態によれば、検出装置２において使用者の低血糖に関する状態（警告情報）が報知されるので、使用者に当該使用者の低血糖に関する状態を確実に認識させることができる。
【０１０８】
［実施形態の変形］
本発明は、上記実施形態に限定されるものではなく、本発明の目的を達成できる範囲での変形、改良等は本発明に含まれるものである。
【０１０９】
上記実施形態では、指標値算出部３６８は、解析部３６７により分析された使用者の運動結果と、食事内容及び投薬内容とに基づいて、「運動」、「食事」及び「投薬」に分類される項目に応じた点数（低血糖危険指数）をそれぞれ算出し、当該算出された点数の合計点に使用者の薬の種類ごとに設定された調整値を乗算して得られる点数、すなわち、指標値を算出することとした。しかしながら、本発明は、これに限らない。
例えば、指標値算出部３６８は、上記項目に応じた点数の合計点である調整値を指標値としてもよい。
また、指標値算出部３６８は、生体情報、体動情報、食事内容及び投薬内容に基づいて、指標値を算出してもよい。更に、指標値算出部３６８は、使用者の運動結果と食事内容及び投薬とに基づいて、指標値を算出してもよい。これらの場合、例えば、予め設定された式により、指標値を算出するようにしてもよい。すなわち、指標値算出部３６８は、上記各項目に応じた点数に基づいて指標値を算出しなくてもよい。
【０１１０】
上記実施形態では、情報処理装置３は、記憶部３５を備えることとした。しかしながら、本発明は、これに限らない。例えば、情報処理装置３は、記憶部３５を備えなくてもよい。この場合、例えば、情報処理装置３は、検出装置２から生体情報及び体動情報を取得し、不図示のサーバー等に記憶された使用者の食事情報及び投薬情報を取得すればよい。
【０１１１】
上記実施形態では、判定部３６９により上記指標値が所定の閾値（例えば、１００点）を超えたと判定されると、低血糖に関する使用者の状態を報知することとした。しかしながら、本発明は、これに限らない。例えば、所定のタイミングで使用者の状態を報知するようにしてもよいし、継続して或いは断続的に使用者の状態を報知するようにしてもよい。更に、使用者の活動状況に応じて報知するように構成してもよい。例えば、上記指標値に対して、複数の閾値を設定し、当該指標値が第１の閾値（最も低い閾値）を超え、かつ、第２の閾値（第１の閾値よりも大きい閾値）より低い場合には、ユーザーが運動中には報知しなくてもよい。具体的には、運動終了或いは休憩などにより運動をしていない状態を検知したときに、使用者に低血糖状態に陥る危険性を報知するように構成してもよい。
【０１１２】
上記実施形態では、指標値は、使用者に投与される薬の種類に応じた数値を低血糖指数の合計値に乗算して得られる値であることとした。しかしながら、本発明は、これに限らない。例えば、使用者に投与される薬の種類ごとに低血糖指数を設定し、上記投薬の項目に加え、当該薬の種類の低血糖指数と上記低血糖指数の合計値とを加算した合計値を指標値としてもよい。
【０１１３】
上記実施形態では、食事から運動時間を開始するまでの経過時間が長いほど、低血糖指数の重み付けが重いこととした。しかしながら、本発明は、これに限らない。例えば、当該経過時間を上記食事の項目に含まないこととしてもよい。
上記実施形態では、使用者によって取得された糖質量が少ないほど、低血糖指数の重み付けが重いこととした。しかしながら、本発明は、これに限らない。例えば、当該経過時間を上記食事の項目に含まないこととしてもよい。
【０１１４】
上記実施形態では、タイミング表示画面ＥＳ４の表示時に低血糖発生時マーカーが選択された際に、低血糖指数の合計点の内訳（グラフ）を表示する分析結果画面ＥＳ６を表示することとした。しかしながら、本発明は、これに限らない。例えば、上記内訳は、指標値における合計点の内訳でもよい。更に、上記分析結果画面ＥＳ６は、低血糖発生時マーカーが選択された場合に限らず、例えば、使用者に低血糖症状が発生するおそれがあると判定部３６９に判定された際に、表示部３３に表示するようにしてもよい。なお、この場合、表示部３３に表示される画像は、分析結果画面ＥＳ６に限らず、例えば、検出装置２の表示部２４１に表示される警告表示画面ＳＣ１と同様の画面を表示するようにしてもよい。
【０１１５】
上記実施形態では、情報処理装置３は、提示情報生成部３７０によりカレンダー表示画面（カレンダーＣＬが設定された総括画面ＥＳ５）が生成され、表示制御部３６２により表示部３３に表示させることとした。しかしながら、本発明は、これに限らない。例えば、提示情報生成部３７０は、総括画面ＥＳ５を生成しなくてもよい。
また、提示情報生成部３７０がタイミング表示画面ＥＳ４及び総括画面ＥＳ５を生成しない場合、当該提示情報生成部３７０に相当する情報生成部を備えたサーバーと情報処理装置３が接続され、当該サーバーにより生成された上記画面ＥＳ４，ＥＳ５を取得し、表示部３３に表示させるようにしてもよい。
更に、上記サーバーにより生成された上記画面ＥＳ４，ＥＳ５は、情報処理装置３に限らず、例えば、他の情報処理装置により取得され、当該他の情報処理装置の表示部に表示されるようにしてもよい。
【０１１６】
上記実施形態では、判定部３６９は、指標値が所定の閾値である１００点を超えたか否かを判定することとした。しかしながら、本発明は、これに限らない。例えば、所定の閾値は、使用者の状態に合わせて、適宜変更してもよく、低血糖症状が発生する可能性が高い使用者（例えば、タイプａの使用者）であれば、所定の閾値を８０点に設定してもよいし、低血糖症状が生じることが少ない使用者（例えば、タイプｃの使用者）であれば、所定の閾値を１２０点に設定してもよい。
【０１１７】
上記実施形態では、コメント表示領域Ｖ６２に表示されるコメントは、上記「運動」、「食事」及び「投薬」のそれぞれの項目の上記点数の比率ごとに、対応する複数のコメントが記憶部３５に記憶されていることとした。しかしながら、本発明は、これに限らない。例えば、当該コメントは、低血糖症状が生じた際の生体情報及び体動情報に基づいて、医師等が分析をし、当該分析結果を入力するようにしてもよい。
この場合、上記分析結果画面ＥＳ６は、上記実施形態と異なり、総括画面ＥＳ５のＶ５２２が入力された際に表示されることとすればよい。
【０１１８】
上記実施形態では、検出装置２が警告情報を受信すると、表示部２４１に警告表示画面ＳＣ１を設定し、音声出力部２４２から警告音を出力し、かつ、振動部２４３が振動することとした。しかしながら、本発明は、これに限らない。例えば、これら表示部２４１、音声出力部２４２及び振動部２４３のいずれかから警告情報が出力されればよい。
また、表示部２４１に上記分析結果画面ＥＳ６若しくは当該分析結果画面ＥＳ６の簡易的な画面を表示させるようにしてもよい。更に、検出装置２にＬＥＤ表示部を設け、警告情報を発する場合に当該ＬＥＤ表示部が点滅するようにしてもよい。
【０１１９】
上記実施形態において、制御部２７の運動判定部２７６は、検出装置２に設けられることとした。しかしながら、本発明は、これに限らない。例えば、運動判定部２７６は、情報処理装置３の制御部３６に設けられることとしてもよい。更に、運動判定部２７６と同様の処理を解析部３６７が実行するようにしてもよい。
【０１２０】
上記実施形態では、運動判定部２７６は、脈拍数の範囲が８０回／分以上〜１００回／分未満の運動は、「弱い運動」として判定され、脈拍数の範囲が１００回／分以上〜１２０回／分未満の運動は、「適正ゾーンの運動」として判定され、脈拍数の範囲が１２０回／分以上１４０回／分未満の運動は、「強い運動」として判定することとした。しかしながら、本発明は、これに限らない。すなわち、上記脈拍数の範囲は、適宜設定できる。例えば、使用者の運動の経験等によって、上記脈拍数の範囲を変更してもよい。
【符号の説明】
【０１２１】
１…状態提示システム、２…生体情報検出装置、２１…操作部、２２１…生体情報検出部、２２２…体動情報検出部、２４…報知部、２４１…表示部、２５…通信部、２６…記憶部、２７…制御部、２７２…報知制御部、２７４…計時部、２７８…記憶制御部、３…情報処理装置、３３…表示部、３５…記憶部、３６…制御部、３６５…情報取得部（症状発生時刻取得部及び行動実行時刻取得部）、３６７…解析部、３６８…指標値算出部（点数算出部）、３６９…判定部、３７０…提示情報生成部（画面生成部）、ＣＬ２…低血糖発生日マーカー、ＣＳ…表示領域、ＥＳ１…食事内容登録画面、ＥＳ２…投薬内容登録画面、ＥＳ３…運動結果提示画面（タイミング表示画面）、ＥＳ４…タイミング表示画面、ＳＣ１…警告表示画面。
【図１】
2016167152.tif 000003
【図２】
2016167152.tif 000004
【図３】
2016167152.tif 000005
【図４】
2016167152.tif 000006
【図５】
2016167152.tif 000007
【図６】
2016167152.tif 000008
【図７】
2016167152.tif 000009
【図８】
2016167152.tif 000010
【図９】
2016167152.tif 000011
【図１０】
2016167152.tif 000012
【図１１】
2016167152.tif 000013
【図１２】
2016167152.tif 000014
【図１３】
2016167152.tif 000015
【図１４】
2016167152.tif 000016
【図１５】
2016167152.tif 000017